(57)【要約】【課題】放送コンテンツの差し替えを容易に行うことができる放送装置、放送方法、及びプログラムを提供することである。【解決手段】実施形態の放送装置は、検出部と、多重化部とを持つ。検出部は、他のコンテンツと少なくとも一部を差し替えて受信装置に出力させる差し替え対象のコンテンツを検出する。多重化部は、検出部が検出した差し替え対象のコンテンツを特定する情報と、差し替え対象のコンテンツを符号化したデータとを多重した放送信号を出力する。【選択図】図２
2016058967.tif 000002
【特許請求の範囲】
【請求項１】
他のコンテンツと少なくとも一部を差し替えて受信装置に出力させる差し替え対象のコンテンツを検出する検出部と、
前記検出部が検出した差し替え対象の前記コンテンツを特定する情報と、差し替え対象の前記コンテンツを符号化したデータとを多重した放送信号を出力する多重化部と、
を備える放送装置。
【請求項２】
前記検出部は、検出した差し替え対象の前記コンテンツを特定する情報を設定したイベントメッセージを生成し、
前記多重化部は、前記検出部が生成した前記イベントメッセージと、差し替え対象の前記コンテンツを符号化したデータとを多重した放送信号を出力する請求項１に記載の放送装置。
【請求項３】
前記検出部は、差し替えを行うタイミングと、前記他のコンテンツデータの出力方法との少なくとも一方をさらに前記イベントメッセージに設定する請求項２に記載の放送装置。
【請求項４】
差し替え対象の前記コンテンツの素材から符号化したデータを生成する符号化部をさらに備え、
前記検出部は、前記素材の符号化対象外のデータ領域に設定されている情報に基づいて差し替え対象の前記コンテンツを検出する請求項１から請求項３のいずれか１項に記載の放送装置。
【請求項５】
差し替え対象の前記コンテンツの素材を他の放送装置から受信する受信部をさらに備え、
前記符号化部は、前記受信部が受信した差し替え対象の前記コンテンツの素材から符号化したデータを生成する請求項４に記載の放送装置。
【請求項６】
放送装置が実行する放送方法であって、
他のコンテンツと少なくとも一部を差し替えて受信装置に出力させる差し替え対象のコンテンツを検出する検出ステップと、
前記検出ステップにおいて検出した差し替え対象の前記コンテンツを特定する情報と、差し替え対象の前記コンテンツを符号化したデータとを多重した放送信号を出力する多重化ステップと、
を有する放送方法。
【請求項７】
コンピュータに、
他のコンテンツと少なくとも一部を差し替えて受信装置に出力させる差し替え対象のコンテンツを検出する検出ステップと、
前記検出ステップにおいて検出した差し替え対象の前記コンテンツを特定する情報と、差し替え対象の前記コンテンツを符号化したデータとを多重した放送信号を出力する多重化ステップと、
を実行させるプログラム。
【発明の詳細な説明】
【技術分野】
【０００１】
本発明の実施形態は、放送装置、放送方法、及びプログラムに関する。
【背景技術】
【０００２】
放送局では、コマーシャルメッセージ（ＣＭ）や番組などの放送コンテンツの一部を差し替えたいことがある。例えば、地方の放送局が全国で販売されている商品のＣＭを放送するときに、ＣＭ中で紹介している販売店の住所や電話番号を、その放送局の放送地域にある販売店の住所や電話番号に差し替えたい場合がある。また、例えば、キー局で生成された番組をローカル局で放送するときに、番組中で紹介している今後の番組の放送予定を、キー局における放送予定からローカル局における放送予定に差し替えたい場合がある。従来は、差し替えを行いたい放送局において、放送前に放送コンテンツを人手により編集していた。この編集作業には、人的コストや時間的コストを要する場合があった。
【先行技術文献】
【特許文献】
【０００３】
【特許文献１】特開２００２−２２３３９７号公報
【特許文献２】特開２００２−８４２４２号公報
【発明の概要】
【発明が解決しようとする課題】
【０００４】
本発明が解決しようとする課題は、放送コンテンツの差し替えを容易に行うことができる放送装置、放送方法、及びプログラムを提供することである。
【課題を解決するための手段】
【０００５】
実施形態の放送装置は、検出部と、多重化部とを持つ。検出部は、他のコンテンツと少なくとも一部を差し替えて受信装置に出力させる差し替え対象のコンテンツを検出する。多重化部は、検出部が検出した差し替え対象のコンテンツを特定する情報と、差し替え対象のコンテンツを符号化したデータとを多重した放送信号を出力する。
【図面の簡単な説明】
【０００６】
【図１】実施形態の放送システムを示す構成図。
【図２】実施形態の放送装置の内部構成を示す機能ブロック図。
【図３】実施形態の受信装置の内部構成を示す機能ブロック図。
【図４】実施形態の素材に用いられるビット直列インターフェースを示す図。
【図５】実施形態のコンテンツ差し替えの例を示す図。
【図６】実施形態の放送装置の処理を示すフロー図。
【図７】実施形態の受信装置の処理を示すフロー図。
【発明を実施するための形態】
【０００７】
以下、実施形態の放送装置、放送方法、及びプログラムを、図面を参照して説明する。
図１は、実施形態の放送システムを示す構成図である。同図に示すように、放送システムは、発局の放送装置１と、中継局の放送装置２と、受信装置３と、配信装置５とを備えて構成される。受信装置３と配信装置５は、通信ネットワーク９を介して接続される。通信ネットワーク９は、例えば、ＴＣＰ（Transmission Control Protocol）／ＩＰ（Internet Protocol）を用いたネットワークである。同図においては、放送装置１、放送装置２、及び配信装置５をそれぞれ１台ずつ示しているが、放送システムは各装置を複数台備え得る。また、同図においては、受信装置３を２台のみ示しているが、放送システムは受信装置３を３台以上備え得る。以下では、２台の受信装置３をそれぞれ、受信装置３−１、３−２と記載する。
【０００８】
発局が保有する放送装置１は、放送コンテンツの素材から生成したコンテンツデータを放送信号に設定して送出するとともに、通信ネットワーク９を介して放送コンテンツの素材を中継局の放送装置２に送信する。放送コンテンツは、ＣＭ（コマーシャルメッセージ）や番組である。以下では、放送コンテンツのコンテンツデータを、「放送コンテンツデータ」とも記載する。中継局の放送装置２は、放送装置１から受信した素材や予め蓄積している素材などから生成した放送コンテンツデータを放送信号に設定して送出する。放送装置１及び放送装置２は、ＡＲＩＢ（Association of Radio Industries and Broadcast）標準規格に準拠したデジタル放送の放送信号を送出する。受信装置３−１は、放送装置１から送出された放送信号を受信し、受信装置３−２は、放送装置２から送出された放送信号を受信する。受信装置３−１及び受信装置３−２は、受信した放送信号に設定されている放送コンテンツデータの映像や音声を出力する。
【０００９】
放送装置１及び放送装置２は、放送コンテンツの一部または全部を配信装置５から配信される他のコンテンツに差し替えたい場合、放送信号のイベントメッセージに、差し替えを行う対象の放送コンテンツを特定するコンテンツ特定情報を設定して送出する。例えば、受信装置３−２において、ある放送コンテンツのＣＭ（「ＣＭ（Ａ）」とする。）を他のコンテンツのＣＭ（「ＣＭ（Ｂ）」とする。）に差し替えて出力させる。この場合、放送装置２は、ＣＭ（Ａ）のコンテンツ特定情報を放送信号のイベントメッセージに設定する。以下では、差し替えを行う対象の放送コンテンツを「差し替え対象放送コンテンツ」と記載し、差し替え対象放送コンテンツと差し替えて出力するコンテンツを「差し替えコンテンツ」と記載する。上記の例の場合、ＣＭ（Ａ）が「差し替え対象放送コンテンツ」であり、ＣＭ（Ｂ）が「差し替えコンテンツ」である。
【００１０】
受信装置３は、放送信号を受信すると、イベントメッセージに設定されている差し替え対象放送コンテンツのコンテンツ特定情報に対応した差し替えコンテンツのコンテンツデータを配信装置５から取得する。上記の例の場合、受信装置３−２は、受信した放送信号に設定されているＣＭ（Ａ）のコンテンツ特定情報をキーにして配信装置５からＣＭ（Ｂ）のコンテンツデータを取得する。受信装置３−２は、ＣＭ（Ａ）の放送コンテンツデータを、予め決められた、あるいは、放送装置２から指定された差し替えタイミングでＣＭ（Ｂ）のコンテンツデータに差し替えて出力する。差し替えタイミングを指定する場合、放送装置２は、放送信号のイベントメッセージに差し替えタイミングを設定する。
【００１１】
図２は、放送装置１、及び放送装置２の内部構成を示すブロック図である。
放送装置１は、ＣＭバンク１１と、番組バンク１２と、マスタースイッチャー１３と、設定部１４と、符号化部１５と、多重化部１６と、送信部１７とを備えて構成される。
【００１２】
ＣＭバンク１１は、ＣＭの素材を記憶する。番組バンク１２は、番組の素材を記憶する。ＣＭバンク１１に記憶されている素材、及び番組バンク１２に記憶されている素材の映像フォーマットには、例えば、ビット直列インターフェースが用いられる。
【００１３】
マスタースイッチャー１３は、予め決められた電子番組表に従って素材の読み出し先をＣＭバンク１１または番組バンク１２に切り替える。電子番組表は、時刻と、その時刻に放送する放送コンテンツを特定する情報が記述されたデータである。マスタースイッチャー１３は、ＣＭバンク１１からは電子番組表で指定されたＣＭの素材を読み出し、番組バンク１２からは電子番組表で指定された番組の素材を読み出す。マスタースイッチャー１３は、読み出した素材を設定部１４、符号化部１５、及び送信部１７に出力する。
【００１４】
設定部１４は、素材の垂直補助データ領域に差し替え対象の放送コンテンツのコンテンツ特定情報が設定されていることにより、差し替え対象の放送コンテンツを検出する。このように、設定部１４は、素材の符号化対象外のデータ領域に設定されている情報に基づいて差し替え対象のコンテンツを検出する。設定部１４は、コンテンツ特定情報が設定されている場合、コンテンツ特定情報をイベントメッセージに設定したＭＰＥＧ（Moving Picture Experts Group）２−ＴＳ（Transport Stream）のデータパケットを生成し、多重化部１６に出力する。イベントメッセージには、差し替えタイミングと出力方法の一方または両方をさらに設定してもよい。差し替えタイミングは、受信装置３において差し替え対象放送コンテンツを、差し替えコンテンツに差し替えて出力する開始のタイミングである。差し替えタイミングは、例えば、差し替え対象放送コンテンツの開始時点あるいは終了時点からの秒数で示す。また、出力方法には、全差し替えと部分差し替えがある。全差し替えは、差し替えタイミングとなったときに、差し替え対象放送コンテンツのコンテンツデータを出力せずに、配信装置５から取得した差し替えコンテンツのコンテンツデータを代わりに出力する出力方法である。部分差し替えは、差し替えタイミングとなったときに、差し替え対象放送コンテンツのコンテンツデータの映像に、差し替えコンテンツのコンテンツデータの映像を重ねて出力する出力方法である。部分差し替えの場合、差し替えコンテンツのコンテンツデータの映像は、差し替え対象放送コンテンツのコンテンツデータの映像よりもサイズが小さい。そこで、出力方法が部分差し替えの場合、出力方法に差し替えコンテンツの映像表示位置を設定してもよい。また、部分差し替えの場合、音声は差し替えコンテンツの音声を出力するが、差し替え対象放送コンテンツの音声を出力してもよく、差し替えコンテンツの音声と差し替え対象放送コンテンツの音声を多重してもよい。
【００１５】
符号化部１５は、マスタースイッチャー１３から出力された素材をＭＰＥＧ２により符号化し、符号化された放送コンテンツデータを生成する。符号化部１５は、符号化された放送コンテンツデータを設定したＭＰＥＧ２−ＴＳパケットである符号化コンテンツパケットを生成し、多重化部１６に出力する。符号化コンテンツパケットには、符号化された映像データが設定されたパケットや、符号化された音声データが設定されたパケットがある。
【００１６】
多重化部１６は、マルチプレクサ（ＭＵＸ）である。多重化部１６は、設定部１４から出力されたデータパケットと、符号化部１５から出力された符号化コンテンツパケットを多重化したＭＰＥＧ２−ＴＳを生成する。多重化部１６は、生成したＭＰＥＧ２−ＴＳを設定したデジタル放送の放送信号を出力する。送信部１７は、差し替え対象放送コンテンツの素材の垂直補助データ領域に、差し替え対象の放送コンテンツのコンテンツ特定情報を設定して放送装置２に送信する。
【００１７】
放送装置２は、受信部２０と、ＣＭバンク２１と、番組バンク２２と、マスタースイッチャー２３と、設定部２４と、符号化部２５と、多重化部２６とを備えて構成される。ＣＭバンク２１、番組バンク２２、設定部２４、符号化部２５、及び多重化部２６はそれぞれ、放送装置１のＣＭバンク１１、番組バンク１２、設定部１４、符号化部１５、及び多重化部１６と同様の機能を有する。受信部２０は、放送装置１から素材を受信する。マスタースイッチャー２３は、予め決められた電子番組表に従って、受信部２０、ＣＭバンク２１、及び番組バンク２２を切り替え、素材を取得する。
【００１８】
図３は、受信装置３の内部構成を示すブロック図である。受信装置３は、放送受信部３１と、分離部３２と、制御部３３と、通信部３４と、記憶部３５と、第一復号部３６と、第二復号部３７と、切替部３８と、出力部３９とを備えて構成される。
放送受信部３１は、チューナである。放送受信部３１は、放送信号を受信し、分離部３２に出力する。分離部３２は、デマルチプレクサである。分離部３２は、放送受信部３１から受信した放送信号を、符号化コンテンツパケットや、データパケットなどに分離する。分離部３２は、符号化コンテンツパケットを第一復号部３６に出力し、データパケットを制御部３３に出力する。
【００１９】
制御部３３は、解析部３３１と、取得部３３２と、切替制御部３３３とを備えて構成される。解析部３３１は、データパケットのイベントメッセージから差し替え対象放送コンテンツのコンテンツ特定情報、差し替えタイミング、及び出力方法を読み出す。取得部３３２は、解析部３３１が取得したコンテンツ特定情報に対応した差し替えコンテンツのコンテンツデータを配信装置５から読み出し、記憶部３５に書き込む。切替制御部３３３は、解析部３３１が読み出した差し替えタイミング及び出力方法に従って、差し替え対象放送コンテンツのコンテンツデータの出力を、配信装置５から読み出した差し替えコンテンツのコンテンツデータの出力に差し替えるよう切替部３８を制御する。
【００２０】
第一復号部３６は、分離部３２から受信した符号化コンテンツパケットに設定されている符号化された放送コンテンツデータを復号し、切替部３８に出力する。第二復号部３７は、記憶部３５に記憶されている差し替えコンテンツのコンテンツデータを読み出す。第二復号部３７は、読み出したコンテンツデータが符号化されている場合は復号して切替部３８に出力する。切替部３８は、切替制御部３３３の制御に従って、差し替え対象放送コンテンツのコンテンツデータの出力と、配信装置５から読み出した差し替えコンテンツのコンテンツデータの出力とを切り替えて、出力部３９により出力させる。出力部３９は、ディスプレイやスピーカである。出力部３９は、コンテンツデータの映像や音声を出力する。
【００２１】
図４は、素材に用いられるビット直列インターフェースを示す図である。同図に示すように、ビット直列インターフェースは、Ｈ−ＡＮＣ（水平補助データ領域）、Ｖ−ＡＮＣ（垂直補助データ領域）、ＳＷＩＴＣＨＩＮＧ  ＰＯＩＮＧ（スイッチングポイント）、アクティブビデオを含む。アクティブビデオは、放送装置１の符号化部１５や放送装置２の符号化部２５が符号化の対象とする映像データである。Ｖ−ＡＮＣに設定される補助データは、ユーザデータの設定領域を含む。このユーザデータに、差し替え対象放送コンテンツのコンテンツ特定情報や、差し替えタイミング、出力方法が設定される。このように、素材の符号化対象外のデータ領域に、差し替え対象放送コンテンツのコンテンツ特定情報や、差し替えタイミング、出力方法が設定される。
【００２２】
図５は、コンテンツ差し替えの例を示す図である。同図では、差し替え対象放送コンテンツがＣＭ（Ａ）であり、差し替えコンテンツがＣＭ（Ｂ）である場合を示している。ＣＭ（Ａ）は、長さ１５秒の全国ＣＭである。ＣＭ（Ａ）の１２から１５秒には、キー局、あるいは、発局の放送エリアに対応した販売店についての案内が含まれている。一方、差し替えコンテンツであるＣＭ（Ｂ）は、長さ３秒の地方ＣＭであり、中継局の放送エリアに対応した販売店についての案内が含まれている。放送システムは、差し替えタイミングを先頭から１２秒（あるいは、終了より３秒前）とし、全差し替えにより、ＣＭ（Ａ）をＣＭ（Ｂ）に差し替える。
【００２３】
次に、放送システムの動作を説明する。ここでは、受信装置３−１にはＣＭ（Ａ）を差し替えずにそのまま出力させ、受信装置３−２には、図５に示すコンテンツ差し替えを行ってＣＭ（Ａ）を途中からＣＭ（Ｂ）に差し替えて出力させる場合を例にした動作を説明する。
【００２４】
図６は、放送装置１及び放送装置２の動作を示す処理フローである。
まず、放送装置１の動作について説明する。放送装置１のマスタースイッチャー１３は、現在の時刻に対応した放送コンテンツの情報を電子番組表から取得する。マスタースイッチャー１３は、取得した放送コンテンツの情報に対応したＣＭ（Ａ）の素材をＣＭバンク１１から読み出し、設定部１４、符号化部１５、及び送信部１７に出力する（ステップＳ１０５）。
【００２５】
設定部１４は、ＣＭ（Ａ）の素材の垂直補助データ領域からユーザデータを読み出し、差し替え対象放送コンテンツのコンテンツ特定情報が設定されているか否かを判断する（ステップＳ１１０）。設定部１４は、コンテンツ特定情報が設定されていないため（ステップＳ１１０：ＮＯ）、イベントメッセージには差し替え対象放送コンテンツのコンテンツ特定情報を設定せずに、ＣＭ（Ａ）の素材などからデータパケットを生成する。設定部１４は、生成したデータパケットを多重化部１６に出力する（ステップＳ１１５）。
【００２６】
また、符号化部１５は、マスタースイッチャー１３から出力されたＣＭ（Ａ）の素材をＭＰＥＧ２により符号化し、符号化された放送コンテンツデータを生成する。符号化部１５は、符号化されたＣＭ（Ａ）の放送コンテンツデータを設定した符号化コンテンツパケットを生成し、多重化部１６に出力する（ステップＳ１２５）。
【００２７】
多重化部１６は、設定部１４から出力されたデータパケットと、符号化部１５から出力された符号化コンテンツパケットを多重化したＭＰＥＧ２−ＴＳを生成する（ステップＳ１３０）。多重化部１６は、生成したＭＰＥＧ２−ＴＳを設定したデジタル放送の放送信号を出力する（ステップＳ１３５）。
【００２８】
一方、送信部１７は、ＣＭ（Ａ）が差し替え対象放送コンテンツの素材であるか否かを判断する（ステップＳ１４０）。例えば、送信部１７は、放送装置２において差し替えを行う差し替え対象放送コンテンツの素材を特定する情報と、差し替え対象放送コンテンツのコンテンツ特定情報、差し替えタイミング、及び出力方法とを対応付けて予め記憶しておく。送信部１７は、予め記憶していたこの情報からＣＭ（Ａ）が差し替え対象放送コンテンツの素材であると判断すると、ＣＭ（Ａ）のコンテンツ特定情報、差し替えタイミング、及び出力方法を読み出す（ステップＳ１４０：ＹＥＳ）。送信部１７は、垂直補助データ領域に含まれるユーザデータに、ＣＭ（Ａ）のコンテンツ特定情報、差し替えタイミング、及び出力方法を設定する（ステップＳ１４５）。コンテンツ特定情報は、例えば、従来から使用されている１０桁のＣＭコードである。送信部１７は、ＣＭ（Ａ）の素材を放送装置２に送信する（ステップＳ１５０）。
なお、送信部１７は、差し替え対象放送コンテンツの素材ではないと判断した場合（ステップＳ１４０：ＮＯ）、差し替え対象放送コンテンツのコンテンツ特定情報を設定することなく、そのまま素材を放送装置２に送信する（ステップＳ１５０）。
【００２９】
続いて、放送装置２の動作について説明する。
放送装置２の受信部２０は、放送装置１からＣＭ（Ａ）の素材を受信する。マスタースイッチャー２３は、現在の時刻に対応した放送コンテンツの情報を電子番組表から取得する。マスタースイッチャー２３は、取得した放送コンテンツの情報に対応したＣＭ（Ａ）の素材を受信部２０から受信し、設定部２４、及び符号化部２５に出力する（ステップＳ１０５）。
【００３０】
設定部２４は、ＣＭ（Ａ）の素材の垂直補助データ領域に含まれているユーザデータに、差し替え対象放送コンテンツのコンテンツ特定情報が設定されていると判断する（ステップＳ１１０：ＹＥＳ）。設定部２４は、ＣＭ（Ａ）の素材のユーザデータから読み出したＣＭ（Ａ）のコンテンツ特定情報、差し替えタイミング、及び出力方法を設定したイベントメッセージを含んだデータパケットを生成し、多重化部２６に出力する（ステップＳ１２０）。
【００３１】
また、符号化部２５は、マスタースイッチャー２３から出力されたＣＭ（Ａ）の素材をＭＰＥＧ２により符号化し、符号化された放送コンテンツデータを生成する。符号化部２５は、符号化されたＣＭ（Ａ）の放送コンテンツデータを設定した符号化コンテンツパケットを生成し、多重化部２６に出力する（ステップＳ１２５）。
【００３２】
多重化部２６は、設定部２４から出力されたデータパケットと、符号化部２５から出力された符号化コンテンツパケットを多重化したＭＰＥＧ２−ＴＳを生成する（ステップＳ１３０）。多重化部２６は、生成したＭＰＥＧ２−ＴＳを設定したデジタル放送の放送信号を出力する。
なお、放送装置２は、ステップＳ１４０からステップＳ１５０の処理は実行しない。
【００３３】
図６は、受信装置３の動作を示す処理フローである。
まず、受信装置３−１の動作について説明する。
受信装置３−１の放送受信部３１は、放送装置１から放送信号を受信し、分離部３２に出力する（ステップＳ２０５）。受信装置３−１の分離部３２は、放送信号を分離し、データパケットを制御部３３に出力し、符号化コンテンツパケットを第一復号部３６に出力する（ステップＳ２１０）。受信装置３−１の解析部３３１は、データパケットのイベントメッセージに差し替え対象放送コンテンツのコンテンツ特定情報が設定されていないため差し替えは行わないと判断する（ステップＳ２１５：ＮＯ）。受信装置３−１の第一復号部３６は、符号化コンテンツパケットに設定されているＣＭ（Ａ）の符号化された放送コンテンツデータを復号し、切替部３８に出力する（ステップＳ２２０）。受信装置３−１の切替部３８は、ＣＭ（Ａ）の放送コンテンツデータを出力部３９に出力する。受信装置３−１の出力部３９は、ＣＭ（Ａ）の放送コンテンツデータの映像や音声を出力する（ステップＳ２２５）。
【００３４】
次に、受信装置３−２の動作について説明する。
受信装置３−２の放送受信部３１は、放送装置２から放送信号を受信し、分離部３２に出力する（ステップＳ２０５）。受信装置３−２の分離部３２は、放送信号を分離し、データパケットを制御部３３に出力し、符号化コンテンツパケットを第一復号部３６に出力する（ステップＳ２１０）。受信装置３−２の解析部３３１は、データパケットのイベントメッセージにＣＭ（Ａ）のコンテンツ特定情報が設定されていると判断する（ステップＳ２１５：ＹＥＳ）。受信装置３−２の解析部３３１は、イベントメッセージからＣＭ（Ａ）のコンテンツ特定情報、差し替えタイミング、及び出力方法を読み出す。受信装置３−２の取得部３３２は、解析部３３１が読み出したＣＭ（Ａ）のコンテンツ特定情報を、通信部３４を介して配信装置５に送信する。配信装置５は、受信したＣＭ（Ａ）のコンテンツ特定情報に対応付けて記憶しているＣＭ（Ｂ）のコンテンツデータを受信装置３−２に返送する。受信装置３−２の取得部３３２は、配信装置５から受信したＣＭ（Ｂ）のコンテンツデータを記憶部３５に書き込む（ステップＳ２３０）。
【００３５】
受信装置３−２の第一復号部３６は、符号化コンテンツパケットに設定されているＣＭ（Ａ）の符号化された放送コンテンツデータを復号し、切替部３８に出力する（ステップＳ２３５）。受信装置３−２の切替制御部３３３は、ＣＭ（Ａ）のコンテンツデータの出力が開始されてから１２秒経過していない場合、差し替えタイミングではないため、出力の切替を行わないと判断する（ステップＳ２４０：ＮＯ）。受信装置３−２の切替部３８は、ＣＭ（Ａ）の放送コンテンツデータを出力部３９に出力する。受信装置３−２の出力部３９は、ＣＭ（Ａ）の放送コンテンツデータの映像や音声を出力する（ステップＳ２４５）。受信装置３−２は、ステップＳ２４０の処理に戻る。
【００３６】
そして、受信装置３−２の切替制御部３３３は、ＣＭ（Ａ）のコンテンツデータの出力が開始されてから１２秒経過すると、差し替えタイミングであると判断する（ステップＳ２４０：ＹＥＳ）。受信装置３−２の切替制御部３３３は、第二復号部３７に記憶部３５に記憶されているＣＭ（Ｂ）のコンテンツデータの読出しを指示する。さらに、受信装置３−２の切替制御部３３３は、出力方法が全差し替えを示しているため、出力部３９への出力を、第一復号部３６が出する放送コンテンツデータから、第二復号部３７が出力するコンテンツデータに切り替えるよう切替部３８に指示する。
【００３７】
受信装置３−２の第二復号部３７は、記憶部３５からＣＭ（Ｂ）のコンテンツデータを読み出す。受信装置３−２の第二復号部３７は、読み出したＣＭ（Ｂ）のコンテンツデータが符号化されている場合は復号を行った後、切替部３８に出力する（ステップＳ２５０）。受信装置３−２の切替部３８は、切替制御部３３３からの指示に従って、出力部３９への出力を、第一復号部３６が出力したＣＭ（Ａ）の放送コンテンツデータから、第二復号部３７が出力したＣＭ（Ｂ）のコンテンツデータに切り替える。受信装置３−２の出力部３９は、ＣＭ（Ｂ）のコンテンツデータの映像や音声を出力する（ステップＳ２５５）。
【００３８】
受信装置３−２の切替制御部３３３は、ＣＭ（Ｂ）の出力が開始されてから３秒が経過しておらず、ＣＭ（Ｂ）のコンテンツデータの出力が終了していないと判断した場合（ステップＳ２６０：ＮＯ）、ステップＳ２５０からの処理を繰り返す。そして、受信装置３−２の切替制御部３３３は、ＣＭ（Ｂ）のコンテンツデータの出力が開始されてから３秒が経過すると、切替の終了と判断する（ステップＳ２６０：ＹＥＳ）。受信装置３−２の切替制御部３３３は、出力部３９への出力を、第一復号部３６が出力する放送コンテンツデータとするよう切替部３８に指示する(ステップＳ２６５）。
【００３９】
なお、上記の例においては、差し替え対象放送コンテンツがＣＭである場合を説明したが、番組であっても放送システムにおける処理は同様である。ただし、放送システムは、ＣＭコードに代えて番組特定情報を使用する。
【００４０】
また、放送装置１のＣＭバンク１１や番組バンク１２に記憶されている素材の垂直補助データ領域に含まれるユーザデータに、差し替え対象の放送コンテンツのコンテンツ特定情報を設定することによって、放送装置１の設定部１４は上述の放送装置２の設定部２４と同様に動作する。
【００４１】
また、受信装置３の切替制御部３３３は、出力方法が部分差し替えを示している場合、第一復号部３６から出力される放送コンテンツデータに、出力方法が示す映像表示位置に第二復号部３７から出力されるコンテンツデータを重ねて出力するよう切替部３８に指示する。切替部３８は、第一復号部３６から出力される放送コンテンツデータの映像の指定された映像表示位置に、第二復号部３７から出力されるコンテンツデータの映像が上になるよう重ねた映像のデータを生成し、出力部３９に出力させる。このとき、切替部３８は、第一復号部３６から出力される放送コンテンツデータの音声を、第二復号部３７から出力されるコンテンツデータの音声に置き換えて出力部３９に出力させる。あるいは、切替部３８は、第一復号部３６から出力される放送コンテンツデータの音声と、第二復号部３７から出力されるコンテンツデータの音声とを合成した音声を出力部３９に出力させてもよい。
【００４２】
なお、受信装置３の制御部３３に予め差し替えタイミングや出力方法が設定されている場合には、放送信号への差し替えタイミングや出力方法の設定を省略することができる。
【００４３】
上記においては、放送装置１、及び放送装置２は、差し替え対象放送コンテンツを放送する際に、イベントメッセージに差し替え対象放送コンテンツのコンテンツ特定情報、差し替えタイミング、及び出力方法を設定している。しかし、受信装置３は、差し替え対象放送コンテンツの放送と異なるタイミングで差し替え対象放送コンテンツのコンテンツ特定情報、差し替えタイミング、及び出力方法を取得してもよい。例えば、電子番組表（EPG：Electronic Program Guide）を利用することができる。受信装置３は、差し替え対象放送コンテンツのコンテンツ特定情報、差し替えタイミング、及び出力方法を設定した電子番組表を、放送信号から取得してもよく、配信装置５あるいは通信ネットワーク９を介して接続される図示しないサーバコンピュータから取得してもよい。受信装置３の取得部３３２は、差し替え対象放送コンテンツの放送前に差し替えコンテンツを取得して記憶部３５に書き込んでおく。切替制御部３３３は、差し替え対象放送コンテンツの出力開始を電子番組表から取得してもよく、放送信号に含まれる情報から差し替え対象放送コンテンツの出力開始を検出してもよい。
【００４４】
上記実施形態によれば、放送装置は、イベントメッセージに差し替え対象放送コンテンツを特定する情報を設定するのみで、放送の受信装置に、放送コンテンツを他のコンテンツ差し替えて表示させることができる。よって、差し替えを行う放送局において素材を編集する必要がない。また、発局では、中継局が差し替えを行う対象の放送コンテンツを把握するのみで、差し替えコンテンツや、その差し替えコンテンツの取得先の情報を把握する必要がない。
【００４５】
以上説明した少なくともひとつの実施形態によれば、設定部及び多重化部を持つことにより、放送の受信装置に、容易に放送コンテンツを他のコンテンツに差し替えて出力させることができる。
【００４６】
上述した実施形態における放送装置１、放送装置２、受信装置３、及び配信装置５の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００４７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
１…放送装置、２…放送装置、３…受信装置、５…配信装置、９…通信ネットワーク、１１…ＣＭバンク、１２…番組バンク、１３…マスタースイッチャー、１４…設定部、１５…符号化部、１６…多重化部、１７…送信部、２０…受信部、２１…ＣＭバンク、２２…番組バンク、２３…マスタースイッチャー、２４…設定部（検出部）、２５…符号化部、２６…多重化部、３１…放送受信部、３２…分離部、３３…制御部、３４…通信部、３５…記憶部、３６…第一復号部、３７…第二復号部、３８…切替部、３９…出力部、３３１…解析部、３３２…取得部、３３３…切替制御部
【図１】
2016058967.tif 000003
【図２】
2016058967.tif 000004
【図３】
2016058967.tif 000005
【図４】
2016058967.tif 000006
【図５】
2016058967.tif 000007
【図６】
2016058967.tif 000008
【図７】
2016058967.tif 000009